(57)【要約】【課題】  非侵襲で、装置が小さく、比較的安価で提供でき、かつ、使用手順が簡単な非侵襲型生体血糖値測定装置を提供する。【解決手段】  被験者があらかじめ電子スピンラベル薬剤を服用しておく。被験者の測定部位を試料共振器１０に導入させ、マイクロ波発信手段２２により電子スピンラベルに対して共鳴条件となる周波数帯域のマイクロ波を照射し、磁場印加手段２３により掃引磁場を与え、磁場変調手段２４により変調磁場を印加し、電子スピンラベル検知部２０により電子スピン共鳴スペクトルの信号強度を非侵襲にて観測する。血糖値推定部３０により電子スピン共鳴スペクトルの信号強度や信号減衰量により被験者の血糖値を推定する。血糖値と電子スピンラベルの服用量と服用後の経過時間に応じて観測されるべき電子スピン共鳴スペクトル信号強度や信号減衰のモデルを用いて推定精度を上げる。【選択図】  図２
2010169396.tif 000002
【特許請求の範囲】
【請求項１】
被験者の測定部位を導入する検知部である試料共振器と、
前記被験者があらかじめ服用しておくことにより血液中に含まれている電子スピンラベルに対して共鳴条件となる周波数帯域のマイクロ波と、掃引磁場と、変調磁場とを前記試料共振器に導入されている前記被験者の測定部位に印加し、前記電子スピンラベルによる電子スピン共鳴スペクトルの信号強度を非侵襲にて観測する生体血糖値検出用電子スピンラベル検知部と、
前記生体血糖値検出用電子スピンラベル検知部により検知した電子スピン共鳴スペクトルの信号強度を基に前記被験者の血糖値を推定する血糖値推定部とを備えた非侵襲型生体血糖値測定装置。
【請求項２】
前記生体血糖値検出用電子スピンラベル検知部が、
前記試料共振器に導入された前記被験者の前記測定部位に対して前記周波数帯域のマイクロ波を照射するマイクロ波発信手段と、
前記試料共振器内に掃引磁場を与える磁場掃引手段と、
前記試料共振器内に変調磁場を与える磁場変調手段と、
前記電子スピン共鳴スペクトルを測定する電子スピン共鳴スペクトル測定部とを備えたものである請求項１に記載の非侵襲型生体血糖値測定装置。
【請求項３】
前記血糖値推定部が、生体中の血糖値レベルと前記電子スピンラベルの服用量と服用後の経過時間に応じて前記生体血糖値検出用電子スピンラベル検知部において検出されるべき電子スピン共鳴スペクトル信号強度をモデル化した血糖値−電子スピン共鳴スペクトル信号強度モデルを記憶するモデル記憶部を備え、
前記生体血糖値検出用電子スピンラベル検知部により検知した電子スピン共鳴スペクトル信号強度と前記血糖値−電子スピン共鳴スペクトル信号強度モデルとを比較し、前記被験者の血糖値を推定する請求項１または２に記載の非侵襲型生体血糖値測定装置。
【請求項４】
前記電子スピンラベルが、不対電子を持つ窒素原子を含有し、人体が服用可能な物質であり、グルコースをラベル化したものであることを特徴とする請求項１から３のいずれか１項に記載の非侵襲型生体血糖値測定装置。
【請求項５】
被験者の測定部位を導入する測定キャビティである試料共振器と、
前記被験者があらかじめ服用しておくことにより血液中に含まれている電子スピンラベルに対して共鳴条件となる周波数帯域のマイクロ波と、掃引磁場と、変調磁場とを前記試料共振器に導入されている前記被験者の測定部位に印加し、前記電子スピンラベルによる電子スピン共鳴スペクトルの信号強度を非侵襲にて観測する生体血糖値検出用電子スピンラベル検知部と、
前記生体血糖値検出用電子スピンラベル検知部により検知した電子スピン共鳴スペクトルの信号強度とその減衰速度を基に前記被験者の血糖値を推定する血糖値推定部とを備えた非侵襲型生体血糖値測定装置。
【請求項６】
前記生体血糖値検出用電子スピンラベル検知部が、
前記試料共振器に導入された前記被験者の前記測定部位に対して前記周波数帯域のマイクロ波を照射するマイクロ波発信手段と、
前記試料共振器内に掃引磁場を与える磁場掃引手段と、
前記試料共振器内に変調磁場を与える磁場変調手段と、
前記電子スピン共鳴スペクトルを測定する電子スピン共鳴スペクトル測定部とを備えたものである請求項５に記載の非侵襲型生体血糖値測定装置。
【請求項７】
前記血糖値推定部が、生体中の血糖値レベルと前記電子スピンラベルの服用量と服用後の経過時間に応じて前記生体血糖値検出用電子スピンラベル検知部において検出されるべき電子スピン共鳴スペクトル信号強度とその減衰速度をモデル化した血糖値−電子スピン共鳴スペクトル信号強度減衰モデルを記憶するモデル記憶部を備え、
前記生体血糖値検出用電子スピンラベル検知部により検知した電子スピン共鳴スペクトル信号強度とその信号減衰速度と、前記血糖値−電子スピン共鳴スペクトル信号強度減衰モデルとを比較し、前記被験者の血糖値を推定する請求項５または６に記載の非侵襲型生体血糖値測定装置。
【請求項８】
前記電子スピンラベルが、不対電子を持つ窒素原子を含有し、人体が服用可能な水溶性の物質であり、経時変化にて血液中の物質により還元されて不対電子が消失してゆく物質であることを特徴とする請求項５から７のいずれか１項に記載の非侵襲型生体血糖値測定装置。
【請求項９】
前記測定部位が前記被験者の指であり、前記試料共振器が前記指を挿入するに適した窪みであることを特徴とする請求項１から８のいずれか１項に記載の非侵襲型生体血糖値測定装置。
【請求項１０】
被験者の測定部位に対して、前記被験者があらかじめ服用しておくことにより血液中に含まれている電子スピンラベルに対して共鳴条件となる周波数帯域のマイクロ波と、掃引磁場と、変調磁場とを印加し、前記電子スピンラベルによる電子スピン共鳴スペクトルの信号強度を非侵襲にて観測し、
検知した電子スピン共鳴スペクトルの信号強度を基に前記被験者の血糖値を推定する非侵襲型生体血糖値測定方法。
【請求項１１】
前記血糖値の推定方法が、生体中の血糖値レベルと前記電子スピンラベルの服用量と服用後の経過時間に応じて検出されるべき前記電子スピン共鳴スペクトルの信号強度をモデル化した電子スピン共鳴スペクトル信号強度モデルと、前記検知した電子スピン共鳴スペクトル信号強度とを比較し、前記被験者の血糖値を推定する請求項１０に記載の非侵襲型生体血糖値測定方法。
【請求項１２】
被験者の測定部位に対して、前記被験者があらかじめ服用しておくことにより血液中に含まれている電子スピンラベルに対して共鳴条件となる周波数帯域のマイクロ波と、掃引磁場と、変調磁場とを前記試料共振器に導入されている前記被験者の測定部位に印加し、前記電子スピンラベルによる電子スピン共鳴スペクトルの信号強度を非侵襲にて観測し、
検知した電子スピン共鳴スペクトルの信号強度とその減衰速度を基に前記被験者の血糖値を推定する非侵襲型生体血糖値測定方法。
【請求項１３】
前記血糖値推定方法が、生体中の血糖値レベルと前記電子スピンラベルの服用量と服用後の経過時間に応じて検出されるべき前記電子スピン共鳴スペクトルの信号強度とその減衰速度をモデル化した電子スピン共鳴スペクトル信号強度減衰モデルと、前記検知した電子スピン共鳴信号強度とその減衰速度とを比較し、前記被験者の血糖値を推定する請求項１２に記載の非侵襲型生体血糖値測定方法。
【発明の詳細な説明】
【技術分野】
【０００１】
本発明は、非侵襲な方法で人体を傷つけることなく、人体測定部位の外表面から血管内の血糖値を測定することができる非侵襲型生体血糖値測定装置に関するものである。
【背景技術】
【０００２】
糖尿病は罹患者が多い生活習慣病であり根治療が難しく、患者は定期的に採血して血糖値を測定しつつ生活しなければならないことが多い。現在の血糖値監視法は、指先などを医療用の針で突き刺し、血液を生体外に採取した上で血液を直接分析器にかけたり、薬剤を用いて化学的な処理を施したりするなどの手順を経て血糖値を測定するものであった。血液の採取は被験者に苦痛を伴うものであり、消毒や医療用の針の取り扱いなどの手順が煩雑で時間がかかるものであった。特に指先から出血させる方法は、痛みを伴い、何回も突くことにより皮膚が傷み、高齢者（特に糖尿病により視力が低下した人）にとって扱いにくいものとなっている。そこで非侵襲でかつ使用手順が簡単な血糖値の監視手段が求められていた。
【０００３】
【特許文献１】特開２００７−３３０５０９号公報
【特許文献２】特開２００７−１３０４５１号公報
【発明の開示】
【発明が解決しようとする課題】
【０００４】
しかし、従来技術において非侵襲で安価かつ使用手順が簡単な血糖値の監視手段として適当なものがないのが現状である。被験者の体表面外部から生体内の血流における血糖値が測定できることが理想的である。
【０００５】
従来の血管や組織の化学物質を非侵襲にてモニターする手段として、陽電子イメージング（ＰＥＴ）による診断方法が知られている。陽電子イメージング（ＰＥＴ）は、主にがん組織の存在を発見するために利用される診断方法であるが、非侵襲にて血液内の糖分にラベルした造影剤を撮像するものとして参考となる。陽電子イメージング（ＰＥＴ）は18Ｆのついたグルコースを測定の約３０分前に被験者に注射し、がん組織に集積した陽電子を放出する糖分からの放射線をトモグラフィーの手法で撮像するものである。
このように、体表面外部から生体に非侵襲な方法で血糖値が測定できれば患者に苦痛を与えなくて済む。
【０００６】
しかし、これら装置は筐体が大きく、周辺機器も含めるとかなり大きな装置規模となってしまう。また、価格も高価であり数億円規模のコストがかかってしまうという問題点がある。また、使用手順が複雑で医療関係者の操作が必要である。糖尿病患者には若年者や壮年者もいるが老齢者も多い。血糖値測定は日々定期的に行う場合が多く、その測定手順が簡単で、測定時間が短いことが望ましい。
【０００７】
上記問題点に鑑み、本発明は、非侵襲で、装置が小さく、比較的安価で提供でき、かつ、使用手順が簡単な非侵襲型生体血糖値測定装置を提供することを目的とする。
【課題を解決するための手段】
【０００８】
上記目的を達成するため、本発明では、被験者に試薬を服用させ、非侵襲の方法にて電子スピン共鳴現象を利用して生体内での血糖値を推定する。
第１の方法は、グルコースに電子スピンを付加してラベル化した試薬（例えば、グルコースにＴＥＭＰＯを付加してラベル化したもの）を服用させ、グルコースの多寡を直接観測する方法である。
ここで、付加する物質としては、例えば、ＴＥＭＰＯ(2,2,6,6-テトラメチルピペリジン-1-オキシル：Ｃ９Ｈ１８ＮＯ)、ＴＥＭＰＯＬ(4-ヒドロキシ-2,2,6,6-テトラメチルピペリジン-1-オキシル：Ｃ９Ｈ１８ＮＯ２）、ＴＥＭＰＯＮＥ(4-オキシ-2,2,6,6,-テトラメチルl-4-ピペリジン-1-オキシル：Ｃ９Ｈ１７ＮＯ２)等が挙げられる。
この第１の方法は、被験者に当該試薬をあらかじめ服用させておき、被験者の指など非侵襲の方法にて電子スピン共鳴を起こすマイクロ波を照射してエネルギー吸収の信号強度を観測することにより、血糖値を推定する。グルコースをラベル化しているのでその電子スピン共鳴によるエネルギー吸収の信号強度を測ることによりグルコース（血糖）の量を推定することができる。
なお、血糖値の推定精度を高めるために、エネルギー吸収信号強度のみでなくエネルギー吸収信号強度の減衰速度も用いることにより推定精度を上げることができる。ここで、グルコースＴＥＭＰＯのスピンラベル信号の減衰速度を用いて血糖値推定を行う際には、血液中のインシュリンの助けによる消費と、赤血球のアスコルビン酸など還元剤による還元の２つの作用でスピンラベル信号は消失してゆくことを考慮して血糖値を推定することに留意する必要がある。
【０００９】
第２の方法は、水溶性で経時変化にて血液中の物質により還元されて不対電子が消失してゆく試薬（例えば、ＴＥＭＰＯ）を服用し、血糖により還元が促進されて不対電子が消失してゆく減衰速度を観測することで血糖値の多寡を間接的に観測する方法である。
この第２の方法は、被験者の指など非侵襲の方法にて電子スピン共鳴を起こすマイクロ波を照射してエネルギー吸収の信号強度の減衰速度を観測することにより、血糖値を推定する。糖分自体をラベル化しているわけではないので、そのエネルギー吸収信号強度そのものでは血糖値を推定できないが、血液中のＴＥＭＰＯは血糖値の量によりその還元・消失速度が変わるので、電子スピン共鳴によるエネルギー吸収の信号強度の減衰速度を測ることにより間接的に血糖値を推定することができる。
【００１０】
上記の第１の方法を実現する装置として、本発明の非侵襲型生体血糖値測定装置は、被験者の測定部位を導入する測定キャビティである試料共振器と、前記被験者があらかじめ服用しておくことにより血液中に含まれている電子スピンラベルに対して共鳴条件となる周波数帯域のマイクロ波と、掃引磁場と、変調磁場とを前記試料共振器に導入されている前記被験者の測定部位に印加し、前記電子スピンラベルによる電子スピン共鳴スペクトルの信号強度を非侵襲にて観測する生体血糖値検出用電子スピンラベル検知部と、前記生体血糖値検出用電子スピンラベル検知部により検知した電子スピン共鳴スペクトルの信号強度を基に前記被験者の血糖値を推定する血糖値推定部を備えたものとする。
【００１１】
ここで、前記電子スピンラベルは、不対電子を持つ窒素原子を含有し、人体に無害な物質であり、グルコースをラベル化する物質であることが好ましい。例えば、グルコースにＴＥＭＰＯを付加してラベル化したものが挙げられる。
上記構成において、前記生体血糖値検出用電子スピンラベル検知部が、前記試料共振器に導入された前記被験者の前記測定部位に対して前記周波数帯域のマイクロ波を照射するマイクロ波発信手段と、前記試料共振器内に掃引磁場を与える磁場掃引手段と、前記試料共振器内に変調磁場を与える磁場変調手段と、前記電子スピン共鳴スペクトルを測定する電子スピン共鳴スペクトル測定部とを備えたものであることが好ましい。
【００１２】
また、前記血糖値推定部が、生体中の血糖値レベルと前記電子スピンラベルの服用量と服用後の経過時間に応じて前記生体血糖値検出用電子スピンラベル検知部において検出されるべき電子スピン共鳴スペクトル信号強度をモデル化した血糖値−電子スピン共鳴スペクトル信号強度モデルを記憶するモデル記憶部を備え、
前記生体血糖値検出用電子スピンラベル検知部により検知した電子スピン共鳴スペクトル信号強度と前記血糖値−電子スピン共鳴スペクトル信号強度モデルとを比較し、前記被験者の血糖値を推定するものであることが好ましい。
【００１３】
上記構成により、本発明の非侵襲型生体血糖値測定装置は、電子スピン共鳴（ＥＳＲ）を利用し、非侵襲で装置が小さく比較的安価で使用手順が簡単なものとして提供することができる。
【００１４】
次に、上記第２の方法を実現する装置として、本発明の非侵襲型生体血糖値測定装置は、被験者の測定部位を導入する測定キャビティである試料共振器と、前記被験者があらかじめ服用しておくことにより血液中に含まれている電子スピンラベルに対して共鳴条件となる周波数帯域のマイクロ波と、掃引磁場と、変調磁場とを前記試料共振器に導入されている前記被験者の測定部位に印加し、前記電子スピンラベルによる電子スピン共鳴スペクトルの信号強度を非侵襲にて観測する生体血糖値検出用電子スピンラベル検知部と、前記生体血糖値検出用電子スピンラベル検知部により検知した電子スピン共鳴スペクトルの信号強度とその減衰速度を基に前記被験者の血糖値を推定する血糖値推定部とを備えたものとする。
【００１５】
ここで、前記電子スピンラベルが、不対電子を持つ窒素原子を含有し、人体に無毒な水溶性の物質であり、経時変化にて血液中の物質により還元されて不対電子が消失してゆく物質（例えばＴＥＭＰＯ）であることが好ましい。
なお、水溶性ラベルであるＴＥＭＰＯなどは還元のみで消失してゆき、尿に自然に排出される。
【００１６】
上記構成において、前記生体血糖値検出用電子スピンラベル検知部が、前記試料共振器に導入された前記被験者の前記測定部位に対して前記周波数帯域のマイクロ波を照射するマイクロ波発信手段と、前記試料共振器内に掃引磁場を与える磁場掃引手段と、前記試料共振器内に変調磁場を与える磁場変調手段と、前記電子スピン共鳴スペクトルを測定する電子スピン共鳴スペクトル測定部とを備えたものであることが好ましい。
【００１７】
また、前記血糖値推定部が、生体中の血糖値レベルと前記電子スピンラベルの服用量と服用後の経過時間に応じて前記生体血糖値検出用電子スピンラベル検知部において検出されるべき電子スピン共鳴スペクトル信号強度とその減衰速度をモデル化した血糖値−電子スピン共鳴スペクトル信号強度減衰モデルを記憶するモデル記憶部を備え、前記生体血糖値検出用電子スピンラベル検知部により検知した電子スピン共鳴スペクトル信号強度とその信号減衰速度と、前記血糖値−電子スピン共鳴スペクトル信号強度減衰モデルとを比較し、前記被験者の血糖値を推定するものであることが好ましい。
上記構成により、本発明の第２の非侵襲型生体血糖値測定装置としても、電子スピン共鳴（ＥＳＲ）を利用し、非侵襲で装置が小さく比較的安価で使用手順が簡単なものとして提供することができる。
【００１８】
なお、上記の本発明の第１の非侵襲型生体血糖値測定装置、第２の非侵襲型生体血糖値測定装置のいずれにおいても、前記測定部位が前記被験者の指であり、前記試料共振器が前記指を挿入するに適した窪みとすることができる。
つまり、被験者は指を装置所定のキャビティ内に挿入するだけで血糖値を簡単に測定することができる。
【００１９】
次に、本発明の第１の非侵襲型生体血糖値測定方法は、被験者の測定部位に対して、前記被験者があらかじめ服用しておくことにより血液中に含まれている電子スピンラベルに対して共鳴条件となる周波数帯域のマイクロ波と、掃引磁場と、変調磁場とを印加し、前記電子スピンラベルによる電子スピン共鳴スペクトルの信号強度を非侵襲にて観測し、検知した電子スピン共鳴スペクトルの信号強度を基に前記被験者の血糖値を推定する非侵襲型生体血糖値測定方法である。
【００２０】
なお、前記血糖値の推定方法が、生体中の血糖値レベルと前記電子スピンラベルの服用量と服用後の経過時間に応じて検出されるべき前記電子スピン共鳴スペクトルの信号強度をモデル化した電子スピン共鳴スペクトル信号強度モデルと、前記検知した電子スピン共鳴スペクトル信号強度とを比較し、前記被験者の血糖値を推定する方法であることが好ましい。
【００２１】
上記本発明の第１の非侵襲型生体血糖値測定方法により、電子スピン共鳴（ＥＳＲ）を利用し、非侵襲で装置が小さく比較的安価で使用手順が簡単な方法にて血糖値を測定することができる。
【００２２】
次に、本発明の第２の非侵襲型生体血糖値測定方法は、被験者の測定部位に対して、前記被験者があらかじめ服用しておくことにより血液中に含まれている電子スピンラベルに対して共鳴条件となる周波数帯域のマイクロ波と、掃引磁場と、変調磁場とを前記試料共振器に導入されている前記被験者の測定部位に印加し、前記電子スピンラベルによる電子スピン共鳴スペクトルの信号強度を非侵襲にて観測し、検知した電子スピン共鳴スペクトルの信号強度とその減衰速度を基に前記被験者の血糖値を推定する非侵襲型生体血糖値測定方法である。
【００２３】
なお、前記血糖値推定方法が、生体中の血糖値レベルと前記電子スピンラベルの服用量と服用後の経過時間に応じて検出されるべき前記電子スピン共鳴スペクトルの信号強度とその減衰速度をモデル化した電子スピン共鳴スペクトル信号強度減衰モデルと、前記検知した電子スピン共鳴信号強度とその減衰速度とを比較し、前記被験者の血糖値を推定する方法であることが好ましい。
【００２４】
上記本発明の第２の非侵襲型生体血糖値測定方法により、電子スピン共鳴（ＥＳＲ）を利用し、非侵襲で装置が小さく比較的安価で使用手順が簡単な方法にて血糖値を測定することができる。
【発明の効果】
【００２５】
本発明の非侵襲型生体血糖値測定装置および検出方法によれば、電子スピン共鳴（ＥＳＲ）を利用し、非侵襲で装置が小さく比較的安価で使用手順が簡単なものとして提供することができる。
【発明を実施するための最良の形態】
【００２６】
以下、図面を参照しつつ、本発明の非侵襲型生体血糖値測定装置および非侵襲型生体血糖値測定方法の実施形態を説明する。ただし、本発明の技術的範囲は以下の実施形態に示した具体的な用途や形状・寸法などには限定されない。
たとえば、以下の実施例において、被験者の測定部位は手の指として説明するが、本発明の非侵襲型生体血糖値測定装置および非侵襲型生体血糖値測定方法では測定部位は手の指でなくとも適用はできるものである。
【実施例１】
【００２７】
以下、実施例１にかかる本発明の非侵襲型生体血糖値測定装置および非侵襲型生体血糖値測定方法について説明する。
【００２８】
本発明における電子スピン共鳴現象を利用した血糖値測定原理の概略は、被験者が血糖値測定に先立ち、あらかじめ服用した電子スピンラベルが観測部位に行き渡った後、その電子スピンラベルに対して掃引磁場および変調磁場の印加状態にてマイクロ波を照射して電子スピン共鳴現象を起こさせ、その測定結果から血糖値を推定するものである。
【００２９】
本発明の非侵襲型生体血糖値測定装置は、様々な血糖値の推定アルゴリズムに対応することが可能である。ここでは血糖値の推定方法の例として以下の２通りの方法を説明する。
【００３０】
第１の方法は、グルコースをラベル化した試薬を服用させ、グルコースの多寡を直接観測する方法である。この第１の方法は、被験者に当該試薬をあらかじめ服用させておき、被験者の指など非侵襲の方法にて電子スピン共鳴を起こすマイクロ波を照射してエネルギー吸収の信号強度を観測することにより、血糖値を推定する。グルコースをラベル化しているのでその電子スピン共鳴によるエネルギー吸収の信号強度を測ることによりグルコース（血糖）の量を推定することができる。なお、血糖値の推定精度を高めるために、エネルギー吸収信号強度のみでなくエネルギー吸収信号強度の減衰速度も用いることにより推定精度を上げることができる。
【００３１】
なお、上記第１の血糖値推定方法における推定精度を上げるため、人体への電子スピンラベルの服用量と服用後の経過時間に応じて検出される「電子スピン共鳴スペクトルの信号強度モデル」を備え、被験者から測定された電子スピン共鳴スペクトルの信号強度と比較することにより血糖値を測定する工夫を行っている。
なお、試薬としては、例えば、グルコースにＴＥＭＰＯ(2,2,6,6-テトラメチルピペリジン-1-オキシル：Ｃ９Ｈ１８ＮＯ)、ＴＥＭＰＯＬ(4-ヒドロキシ-2,2,6,6-テトラメチルピペリジン-1-オキシル：Ｃ９Ｈ１８ＮＯ２）、ＴＥＭＰＯＮＥ(4-オキシ-2,2,6,6,-テトラメチルl-4-ピペリジン-1-オキシル：Ｃ９Ｈ１７ＮＯ２)等を付加したもの用いることができる。ここではたとえばグルコースにＴＥＭＰＯを付加したものを用いる。
【００３２】
次に、第２の方法は、水溶性で経時変化にて血液中の物質により不対電子が還元されて消失してゆく試薬を服用させ、血糖により還元が促進され消失してゆく減衰速度を観測することで血糖値の多寡を間接的に観測する方法である。この第２の方法は、被験者の指など非侵襲の方法にて電子スピン共鳴を起こすマイクロ波を照射してエネルギー吸収の信号強度の減衰速度を観測することにより、血糖値を推定する。糖分自体をラベル化しているわけではないので、そのエネルギー吸収信号強度そのものでは血糖値を推定できないが、血液中のＴＥＭＰＯは血糖値の量によりその還元・消失速度が変わるので、電子スピン共鳴によるエネルギー吸収の信号強度の減衰速度を測ることにより間接的に血糖値を推定することができる。
【００３３】
なお、上記の第２の血糖値推定方法における推定精度を上げるため、人体への電子スピンラベルの服用量と服用後の経過時間に応じて検出される電子スピン共鳴スペクトルの信号強度と減衰速度をまとめた「血糖値−電子スピン共鳴信号強度減衰モデル」を備え、被験者から測定された電子スピン共鳴スペクトルの信号強度とその減衰速度と比較することにより血糖値を測定する工夫を行っている。
【００３４】
なお、電子スピンラベルとしては、不対電子を持つ窒素原子を含有し、人体が服用可能な水溶性の物質であり、経時変化にて血液中の物質により還元されて電子スピンが消失してゆく物質とする。例えば、ＴＥＭＰＯ、ＴＥＭＰＯＬ、ＴＥＭＰＯＮＥ等を用いることができる。ここではＴＥＭＰＯを用いる。なお、これらスピンラベルは血液中のアスコルビン酸などの物質により還元されてゆき、検出される電子スピン共鳴スペクトルの信号強度が減少してゆくが、グルコースは代謝を促進させるので還元速度を速めることとなる。つまり、グルコースＴＥＭＰＯを用いる場合、血液中のインシュリンの助けによる消費と、赤血球のアスコルビン酸など還元剤による還元の２つの作用でスピンラベル信号は消失してゆくことを考慮して血糖値を推定することに留意する必要がある。
【００３５】
本発明の非侵襲型生体血糖値測定装置１００の構成例を示す。
図１は非侵襲型生体血糖値測定装置１００の装置外観を模式的に示す図、図２は本発明の非侵襲型生体血糖値測定装置１００の構成を模式的に示すブロック図である。
【００３６】
図２に示すように、本発明の非侵襲型生体血糖値測定装置１００は、試料共振器１０、電子スピンラベル検知部２０、血糖値推定部３０を備えている。ここで、電子スピンラベル検知部２０は表面コイル２１、マイクロ波発信手段２２、磁場印加手段２３、磁場変調手段２４、電磁波エネルギー吸収スペクトル検知手段２５を備えた構成となっている。
【００３７】
試料共振器１０は、被験者の測定部位を導入し、試料に対して共振周波数となるマイクロ波を与える測定キャビティとなる部分である。ここでは、例えば、測定部位は被験者の手の指であるので、試料共振器１０は被験者の手の指が挿入できるために適した大きさ、形状のキャビティとなっている。図１に示した例ではたとえば直径１．５ｃｍから２．５ｃｍ程度、深さ４ｃｍから８ｃｍ程度の円筒形のキャビティとなっている。なお、キャビティの形状は必ずしもこの形状に限定されない。
【００３８】
電子スピンラベル検知部２０は、周波数帯域のマイクロ波を被験者の測定部位に照射し、電子スピンラベルにおける電子スピン共鳴信号を測定する部分である。
マイクロ波発信手段２２によりマイクロ波が試料共振器１０内に発信される。この構成例では試料共振器１０の内部に表面コイル２１が組み込まれた例となっており、表面コイル２１を介してマイクロ波発信手段２２によりマイクロ波が試料共振器１０内に発信される仕組みとなっている。
ここでは、マイクロ波は、被験者があらかじめ服用しておくことにより血液中に含まれている電子スピンラベルの電子スピン共鳴に対して共鳴条件となる周波数帯域、例えば、Ｘバンド（１０ＧＨｚ）とする。
【００３９】
磁場印加手段２３は、変調をかける基本の磁場を印加する手段であり、ここでは、直線状に増える掃引磁場とする。
磁場変調手段２４は、磁場印加手段２３により印加した基本の掃引磁場に対して変動分となる磁場を加えて磁場を変調させるものである。
【００４０】
ここで、マイクロ波のエネルギーと比較すれば、電子スピン共鳴による吸収強度は弱いためマイクロ波の吸収（信号強度）をそのまま増幅してもＳ／Ｎ比が悪く、実用可能なスペクトルを得ることは困難である。そのため時間的に直線状に増える掃引磁場に対して、狭い幅で速く振動する変調磁場（例えば１００ｋＨｚ）を重ね合わせ、掃引磁場を中心とする振動磁場を印加し、電磁波エネルギー吸収スペクトル検知手段２５により、吸収信号の微分に比例した振動信号を得る。
電磁波エネルギー吸収スペクトル検知手段２５は、この信号を狭帯域増幅し、変調磁場と同期して検波すると雑音を著しく減少させることができ、後述する図４に示すような吸収曲線の一次微分曲線に相当するスペクトルを得る(位相敏感検波)。
【００４１】
なお、磁場印加手段２３により印加する基本となる掃引磁場の強さ、磁場変調手段２４により加える磁場変調の大きさは、用いる電子スピンラベルの種類、電子スピンラベルの服用量、想定される服用後の経過時間、グルコース内での電子スピンラベルの状態などにより観察される信号強度に応じて設計しておく必要がある。
【００４２】
血糖値推定部３０は、電子スピンラベル検知部２０により検知した測定結果を基に被験者の血糖値を推定する部分である。
血糖値推定部３０は、血糖値の推定精度を向上させるため、モデル記憶部３１を備え、電子スピンラベル検知部２０により検知した測定結果とモデルとを比較し、被験者の血糖値を推定する。
【００４３】
図２に示すように、ここではモデル記憶部３１は、非侵襲型生体血糖値測定装置の第１の血糖値推定方法に対応する「血糖値−電子スピン共鳴信号強度モデル３２ａ」と、非侵襲型生体血糖値測定装置の第２の血糖値推定方法に対応する「血糖値−電子スピン共鳴信号強度減衰モデル３２ｂ」の２つのモデルを搭載している。
【００４４】
血糖値−電子スピン共鳴信号強度モデル３２ａは、生体中の血糖値レベルとグルコースをラベル化した試薬の服用量と服用後の経過時間に応じて電子スピンラベル検知部２０において検出されるべき電子スピン共鳴の信号強度をモデル化したものである。
【００４５】
「血糖値−電子スピン共鳴信号強度モデル」３２ａは、縦軸が電子スピン共鳴信号強度、横軸は電子スピンラベル服用後の経過時間となっており、各血糖値別に曲線が与えられたモデルとなっており、血糖値推定部３０は、血糖値−電子スピン共鳴信号強度モデル３２ａを用いて第１の血糖値推定方法により処理を行う場合、被験者が入力した電子スピンラベル服用後の経過時間と、電子スピンラベル検知部２０により検知した信号強度を基に、モデル記憶部３１が保持している血糖値−電子スピン共鳴信号強度モデル３２ａを参照し、被験者の血糖値を推定する。
【００４６】
「血糖値−電子スピン共鳴信号強度減衰モデル」３２ｂは、生体中の血糖値レベルと電子スピンラベルの服用量と服用後の経過時間に応じて電子スピンラベル検知部２０において検出されるべき電子スピン共鳴の信号強度の減衰速度をモデル化したものである。
【００４７】
「血糖値−電子スピン共鳴信号強度減衰モデル」３２ｂは、縦軸が電子スピン共鳴信号強度、横軸は電子スピンラベル服用後の経過時間となっており、各血糖値別に曲線が与えられたモデルとなっており、血糖値推定部３０は、血糖値−電子スピン共鳴信号強度減衰モデル３２ｂを用いて第２の血糖値推定方法により処理を行う場合、被験者が入力した電子スピンラベル服用後の経過時間と、電子スピンラベル検知部２０により検知した信号強度の減衰速度を基に、モデル記憶部３１が保持している血糖値−電子スピン共鳴信号強度減衰モデル３２ｂを参照し、被験者の血糖値を推定する。
【００４８】
なお、この「血糖値−電子スピン共鳴信号強度減衰モデル」３２ｂには水溶性ＴＥＭＰＯのスピンラベルの減衰速度をモデル化したもの、グルコースにＴＥＭＰＯを付加したスピンラベルの減衰速度をモデル化したものなど、用いるスピンラベルにより用意しておくことが好ましい。
【００４９】
血糖値推定部３０は、上記第１の方法を用いる場合には、試薬服用後の経過時間と電子スピンラベル検知部２０により検知した信号強度を基に、モデル記憶部３１が保持している「血糖値−電子スピン共鳴信号強度モデル」３２ａを参照し、被験者の血糖値を推定する。上記第２の方法を用いる場合には、試薬服用後の経過時間と電子スピンラベル検知部２０により検知した信号強度の減衰速度を基に、モデル記憶部３１が保持している「血糖値−電子スピン共鳴信号強度減衰モデル」３２ｂを参照し、被験者の血糖値を推定する。
【００５０】
表示部４０は、血糖値推定部３０が推定した血糖値を利用者にわかるように表示する部分である。血糖値は数値で表されるものであるので、例えば、数字が表示できるものがある。
【００５１】
操作部５０は、電子スピンラベル薬剤の服用後の時間やタイミングを入力したり、利用者の識別情報を入力したりする操作部分である。図１に示した構成例ではボタンによるオンオフ操作となっている。
【００５２】
以下、本発明の非侵襲型生体血糖値測定手順を追いつつ説明する。
図３は非侵襲型生体血糖値測定手順の概略を示すフローチャートである。
まず、被験者が服用する電子スピンラベルとして、グルコースにＴＥＭＰＯを付与した電子スピンラベル試薬（グルコースTEMPO）を用いた場合の手順を説明する。
【００５３】
［手順１］（図３のステップＳ１）
手順１は、被験者が血糖値測定に先立ち、グルコースTEMPOの水溶液を服用する。
必要な入力データがあれば図１に示すような外部インタフェースとなる操作部を通じてデータを入力する。
【００５４】
なお、電子スピンラベルは血糖値測定後、消費、還元、分解が進み、腎臓で濾し取られ尿として膀胱に集まり体外に排出されるものであることが好ましい。
なお、スピンラベルしたグルコースの服用量は信号が観測可能な程度の少量で良い。血糖としてスピンラベルしたグルコースが一定割合で含まれれば血糖値が幾らであるか推定することができる（５ｍＭ以上試薬水溶液１００ｍｌ程度を服用）。
【００５５】
服用後、スピンラベルしたグルコースが全身に行き渡るまで所定時間を待った後で測定する。なお、時間が経過するとスピンラベルしたグルコースの消費と還元が進み、血管内の血流中に残存するスピンラベル量が低下してゆくので、どの程度の時間が経過しているかは重要である。例えば３０分程度の経過時間であれば、スピンラベルしたグルコースが全身に行き渡り、かつ、スピンラベルしたグルコースの消費と還元が多くはなく、血糖値測定には適している経過時間と言える。
【００５６】
［手順２］（図３のステップＳ２）
手順２は、被験者が手の指などの測定部位に対して、所定周波数帯域のマイクロ波を照射する。例えば、照射するマイクロ波は、Ｌバンド帯 (１〜２ＧＨｚ)またはＸバンド帯 (１０ＧＨｚ)の周波数のものを用いる。生体の計測であるため水分による誘電損失を考慮することが好ましい。ここでは例えばＸバンド帯の１０ＧＨｚのマイクロ波とする。
【００５７】
［手順３］（図３のステップＳ３）
手順３として、掃引磁場に対して磁気変調を加えて走査する。
本実施例１では、マイクロ波の周波数を一定とし、印加する磁場に磁場変調をかけて可変にする方式とする。
【００５８】
磁場がかかった状態で電子スピンラベルにゼーマン分裂と同じ値のエネルギーのマイクロ波が照射されると電子スピン共鳴が起こりESR信号が発生する。ここではマイクロ波が一定周波数であるが磁場変調がかかり、変化する磁場においてスピンラベルしたグルコースのゼーマン分裂エネルギーと照射されたマイクロ波のエネルギーが一致した状態で電子スピン共鳴が起こり、エネルギーが吸収される。
【００５９】
なお、電子スピン共鳴は、原理的には磁場を一定とし、マイクロ波の周波数を変調して走査しても可能であり、また、マイクロ波を一定とし、磁場を変調して走査しても可能であるが、試料共振器のＱのためマイクロ波の周波数を変化させるのは容易ではないので、ここではマイクロ波の周波数を一定とし、印加する磁場を変調して走査して可変にする方式とする。
【００６０】
［手順４］（図３のステップＳ４）
手順４として、電磁波の吸収スペクトルを観察し、エネルギー吸収の信号レベルが大きくなる磁場を検出する。つまり、ゼーマン分裂を起こす磁場の共鳴周波数を検出する。手順３で説明したように、血液中に存在するスピンラベルしたグルコースにおける電子スピンラベルの化学結合状態に応じてゼーマン分裂のエネルギーが決まるが、変化する磁場においてゼーマン分裂エネルギーと照射されたマイクロ波のエネルギーが一致した状態で電子スピン共鳴が起こり、マイクロ波のエネルギーが吸収される。そのエネルギー吸収をマイクロ波のスペクトルを観察することにより検出する。
【００６１】
図４（ａ）は、電子スピン共鳴スペクトルの信号レベルを模式的に示す図である。図４（ａ）において、縦軸はマイクロ波の吸収レベル、横軸は磁場の強さである。図４（ａ）に見るように、特定の磁場Ｈ0の強さにおいてマイクロ波のエネルギーが吸収されており、電子スピン共鳴が起こっていることが検出できる。
【００６２】
図４（ｂ）は、電子スピンラベルとしてグルコースＴＥＭＰＯを用いた場合に観察される電子スピン共鳴スペクトルの信号レベルを模式的に示す図である。電子スピン共鳴スペクトルの信号レベルにおいて窒素原子核に由来する３つの山と谷が観察される。
【００６３】
［手順５］（図３のステップＳ５）
手順５として、電子スピン共鳴によりエネルギー吸収のピーク値に共鳴磁場を固定し、エネルギー吸収強度の時間変化を観測する。手順４で検出した電子スピン共鳴によりエネルギー吸収のピーク値となる磁場、つまり、電子スピン共鳴が起こる共鳴磁場に固定し、電子スピン共鳴によるエネルギー吸収強度の時間変化を観測する。時間経過とともに電子スピンラベルが消費しまた還元し、消失してゆくので、電子スピン共鳴スペクトルの信号レベルが低下してゆく。つまり、被験者の血糖値に応じて観測されるエネルギー信号強度や減衰速度が変化する。
【００６４】
［手順６］（図３のステップＳ６）
手順６として、電子スピン共鳴により観測される信号強度や減衰速度から血糖値を推定する。吸収されたエネルギーの信号レベルが大きいほど残存スピンラベル量が多いこととなり、つまり、血糖値に含まれているスピンラベルしたグルコース量が多く血糖値が高いこととなる。
【００６５】
ここでは、モデル記憶部に保持されている「血糖値−電子スピン共鳴信号強度モデル」３２ａと、「血糖値−電子スピン共鳴信号強度減衰モデル」３２ｂの両者を参照し、血糖値を推定する。
【００６６】
図５は、水溶性スピンラベルTEMPOを用いたときの血糖値と時間経過に応じて観測される電子スピン共鳴の信号強度の関係を模式的に示したものである。横軸は経過時間、縦軸は信号強度となっている。図５の例では３つの血糖値について示している。
【００６７】
なお、血糖値と電子スピン共鳴信号強度の関係は、Ａｅｘｐ（−ｔ／Ｔ）で表される減衰曲線となることが想定される。図５の例ではＡ＝５としている。血糖値に応じて時定数であるＴが決まるが、例えば、Ｔは６００秒〜１０００秒あたりとなる。このように被験者の血糖値が異なれば減衰曲線が異なるので、電子スピンラベルの服用量と服用後の経過時間と電子スピン共鳴の信号強度が得られれば、血糖値−電子スピン共鳴信号強度モデル３２ａを参照することにより被験者の血糖値を精度良く推定することができる。
【００６８】
また、電子スピン共鳴の信号レベルは図５に示したようにＡｅｘｐ（−ｔ／Ｔ）の曲線で減衰してゆくので、その減衰速度は、信号強度曲線が分かれば、上の式をコンピューターフィットして計算できる。このように被験者の血糖値が異なれば電子スピンラベル信号強度の減衰速度が異なるので、電子スピンラベルの服用量と服用後の経過時間とその間の電子スピン共鳴の信号強度の減衰速度を得れば、血糖値−電子スピン共鳴信号強度減衰モデルを参照することにより被験者の血糖値を精度良く推定することができる。
【００６９】
以上の手順から電子スピン共鳴現象を利用した血糖値測定が可能となる。
次に、被験者が服用する電子スピンラベルとして、水溶性ＴＥＭＰＯを電子スピンラベル試薬として用いた場合の手順を説明する。
図３の非侵襲型生体血糖値測定手順の概略を示すフローチャートにおいて、手順１のステップ１から手順５のステップＳ５までは同様である。
【００７０】
手順５において、電子スピン共鳴により観測されるエネルギー吸収強度の時間変化は、水溶性で経時変化にて血液中の物質により還元されて消失してゆく減衰速度が観測できる。グルコースは還元速度を速めることが多い。
【００７１】
手順６として、電子スピン共鳴により観測される信号強度の減衰速度から血糖値を推定する。減衰速度が大きい方が試薬の還元に関与するグルコース量が多く血糖値が高いこととなる。
【００７２】
ここでは、モデル記憶部に保持されている水溶性ＴＥＭＰＯに関する「血糖値−電子スピン共鳴信号強度減衰モデル」３２ｂを参照し、血糖値を推定する。
なお、ここでも、電子スピン共鳴の信号レベルは図５に示したようにＡｅｘｐ（−ｔ／Ｔ）の曲線で減衰してゆくので、その減衰速度は、信号強度曲線が分かれば、上の式をコンピューターフィットして計算できる。このように被験者の血糖値が異なれば電子スピンラベル信号強度の減衰速度が異なるので、電子スピンラベルの服用量と服用後の経過時間とその間の電子スピン共鳴の信号強度の減衰速度を得れば、血糖値−電子スピン共鳴信号強度減衰モデルを参照することにより被験者の血糖値を精度良く推定することができる。
【００７３】
以上の手順から電子スピン共鳴現象を利用した血糖値測定が可能となる。
以上、本発明の非侵襲型生体血糖値測定手順によれば、被験者があらかじめ服用した電子スピンラベルに対して掃引磁場および変調磁場の印加状態にてマイクロ波を照射して電子スピン共鳴現象を起こさせ、エネルギー吸収がピークとなる磁場周波数を検出し、当該磁場周波数に合わせて、電子スピン共鳴現象を通じて血糖値を測定することができる。
【００７４】
以上、本発明の非侵襲型生体血糖値検出装置における好ましい実施形態を図示して説明してきたが、本発明の技術的範囲を逸脱することなく種々の変更が可能であることは理解されるであろう。
【産業上の利用可能性】
【００７５】
本発明は多様なメーカーの非侵襲型の生体血糖値検出装置に適用することができる。
【図面の簡単な説明】
【００７６】
【図１】非侵襲型生体血糖値測定装置１００の装置外観を模式的に示す図
【図２】本発明の非侵襲型生体血糖値測定装置１００の構成を模式的に示すブロック図
【図３】非侵襲型生体血糖値測定手順の概略を示すフローチャート
【図４】電子スピン共鳴スペクトルの信号レベルを模式的に示す図
【図５】血糖値−電子スピン共鳴信号強度の観測例を模式的に示した図
【符号の説明】
【００７７】
１０  試料共振器
２０  生体血糖値検出用電子スピンラベル検知部
２１  表面コイル
２２  マイクロ波発信手段
２３  磁場印加手段
２４  磁場変調手段
２５  電磁波エネルギー吸収スペクトル検知手段
３０，３０ａ  血糖値推定部
３１，３１ａ  モデル記憶部
４０  表示部
５０  操作部
【図１】
2010169396.tif 000003
【図２】
2010169396.tif 000004
【図３】
2010169396.tif 000005
【図４】
2010169396.tif 000006
【図５】
2010169396.tif 000007